(57)【要約】      （修正有） 【課題】吐き出される空気流の抵抗よりも吸い込まれる空気流の抵抗を強くさせることで、口での呼吸にアンバランスを生じさせ、口からの呼吸よりも鼻からの呼吸が有利に働くことを示し、鼻呼吸へと導き実現させるマスクを提供する。【解決手段】使用者の顔面１０に使用されるマスク２において、マスク２のマスク顔側面部２ｃに、空気流抵抗部３を形成し、空気流抵抗部３は、使用者が口呼吸する際に生じる口部の隙間１２及び唇部１３に係合し、空気流抵抗部３は、使用者の口部１１に吸い込まれる空気に対する抵抗を、吐き出される空気にたいする抵抗よりも強くさせる構成とする。【選択図】図２
0003201841.tif 000002
【実用新案登録請求の範囲】
【請求項１】
使用者の顔面（１０）に使用されるマスク（２）において、
前記マスク（２）のマスク顔側面部（２ｃ）に、空気流抵抗部（３）を形成し、
前記空気流抵抗部（３）は、前記使用者が口呼吸する際に生じる口部の隙間（１２）及び唇部（１３）に係合し、
前記空気流抵抗部（３）は、前記使用者の口部（１１）に吸い込まれる空気に対する抵抗を、吐き出される空気にたいする抵抗よりも強くさせる構成とする
ことを特徴とする空気流抵抗マスク（１）。
【考案の詳細な説明】
【技術分野】
【０００１】
本考案は、マスクの顔側面に空気流抵抗部を形成し、口呼吸時の口の隙間や唇に係合させ、吐き出される空気流の抵抗よりも吸い込まれる空気流の抵抗を強くさせることで、口での呼吸にアンバランスを生じさせ、口からの呼吸よりも鼻からの呼吸が有利に働くことを示し、鼻呼吸へと導き実現させるマスクに関する。
【背景技術】
【０００２】
口を開けた状態の口呼吸は、口回りの筋肉を衰えさせるので顔の弛みを招き、顔面と連続している首や胸、背中の筋肉を衰えさせるので曲がった背筋を招いている。
また、舌の筋肉を衰えさせるので、イビキや嚥下障害等の原因と指摘されている。
次に、口呼吸の浅い呼吸は、空気の吸引力低下が肺の広さを減少させるので姿勢を崩し、
酸素不足が代謝を狂わせ、作業効率や学習能力の非効率化を促す原因となっているともいわれている。
さらに、口呼吸は、開いた口からの細菌やウィルスの侵入が歯周病や免疫機能を低下さ
せるなどの問題を引き起こしている。
【０００３】
前記の様に、口呼吸は身体の健康に多くの障害を与えていることが指摘されている。
しかし、元来、呼吸は意識する動作ではなく、口呼吸か鼻呼吸の意識さえなく、他者からの指摘に頼るしかないが、その他者自身が口呼吸を意識出来ていないのが現実である。
【０００４】
昨今、イビキの弊害は、音を伴うことで注目され認識されやすく、さらに、睡眠時無呼吸症候群の原因となるとの医療面からの指摘もあり、徐々に理解されつつある。
イビキは、口を開けて呼吸していることが原因といわれ、その対策としてマウスピースや口テープなどで口を塞ぐ対策、鼻腔拡張具や鼻弁拡張テープなどで鼻腔を広げ吸気の増かで対応する具材等が市販されている。
また、就眠時に使用する保湿性睡眠マスクや既存のマスク使用時の鼻を出す使用法などが知られている。
【０００５】
しかし、睡眠時に使用するイビキ対策の各種具材は、睡眠時の無意識な身体の拒否反応が原因となり具材の性能が十分に発揮できずにいる。
また、覚醒時の口呼吸の対策としては、呼吸矯正法による訓練、口の運動や舌の運動が紹介されているがその認知度は低く、強い意志での持続する行為は限界を伴う。
一般に、日本人の口呼吸の原因は、オシャブリや指シャブリの期間などが短いためと指摘されている。
【０００６】
現在、口呼吸の問題の解決は意識されていないが、健康な生活を実現する予防的な対策としての対応が望まれる。
【０００７】
そこで、睡眠時に、安定して下あごを支え、鼻呼吸をほう助する睡眠時の鼻呼吸用マスクが提案されている。（特許文献１）
【０００８】
この提案は、マスクに弾力性のある紐を通して耳に掛け、下あごを支えることで口を閉じさせ睡眠時の鼻呼吸をほう助するもので、さらに、ヘッドバンドで側頭部に係止することで確実に口を閉じさせることを担保するものである。
顎は、立位姿勢において顎関節にぶら下がった状態にあり、下から支えることで口を閉ざす視点は理解できる。
しかし、睡眠時の横臥姿勢では、顎は重力と共にあり、自由に動く状態での弾力性のある紐での固定には疑問を感じる。
さらに、顎に加える強制的な力が顎関節に与える影響も考慮する必要がある。
【０００９】
次の提案は、就寝する際に口部に装着し、口からの吸気を阻止することにより、鼻からの吸気を強制できるようにしたものである。（特許文献２）
【００１０】
この提案は、唇と歯の間に収まる口内保持部と弁体を備えた口外筒部とで構成され、弁体が口からの吸気を阻止し、口からの排気を可能にすることで、睡眠時に於ける鼻呼吸を強制するものである。
一般に、口呼吸している人は、鼻での呼吸がスムーズに行えていない。その状態で口での吸気を突然遮断する行為や、吸気と呼気を同時に阻止する行為は使用者の呼吸リズムに変調をきたし、呼吸を混乱させるものであり、特に睡眠時の使用に混乱を招く恐れがある。
【先行技術文献】
【特許文献】
【００１１】
【特許文献１】実用新案登録第３０４６３４２号公報
【特許文献２】実用新案登録第３１１９７７９号公報
【考案の概要】
【考案が解決しようとする課題】
【００１２】
そもそも、乳児は、口からお乳を飲み込みながら鼻での呼吸を同時に出来ている。
しかし、人間の身体は、次第に飲み込む動作と呼吸する動作に分かれ、飲み込む瞬間に気道を閉ざす反射反応により呼吸が瞬時に停止される仕組みを備えている。
この仕組みは、老化により時々故障し、老人性の嚥下障害を招き、大変な苦しみを伴う。
つまり、口は飲食に使用され、鼻は呼吸に使用される器官であることを前提とする身体機能の筈である。
【００１３】
鼻呼吸は、身体機能の根幹をなすものであり、姿勢から内蔵疾患、外見に至るまでその影響ははかりしれない。
しかし、鼻呼吸は、健康への第一歩であると考えられるが、鼻呼吸の大切さは一般に認
識さえされず、呼吸そのものが意識されることはない。
【００１４】
本来の鼻の機能は、嗅覚、呼気時の気道抵抗作成や肺胞の虚脱防止、呼吸と代謝のコントロール、吸気の加温加湿と下気道保護、呼気時の鼻腔内での結露と水分再吸収、吸気時の上気道拡大筋の調節による気道維持など多岐にわたっていることが知られているが、その機能の大切さは余り理解されていない。
【００１５】
そもそも、呼吸時の鼻呼吸抵抗は、口呼吸抵抗より抵抗度は高く、口呼吸に変わることが当然であると思われるが、鼻呼吸が生理的とされ、鼻づまりの息苦しさは耐え難いにもかかわらず、その理由は明らかではない。
【００１６】
口呼吸の癖は、慢性的な鼻詰まりや各種の原因をもとに多岐に渡り、長い時をかけて常態化したものであり、その対策や改善には無意識で持続可能な方法が求められる。
【００１７】
本考案は、マスクの顔側面に空気流抵抗部を形成し、口呼吸時の口の隙間や唇に係合させ、吐き出される空気流の抵抗よりも吸い込まれる空気流の抵抗を強くさせることで、口での呼吸にアンバランスを生じさせ、口からの呼吸よりも鼻からの呼吸が有利に働くことを示し、鼻呼吸へと導くものである。
つまり、本考案の空気流抵抗部は、開いた口からの酸素の吸気が不足し、不足する酸素を鼻からの吸気へと無意識に移行させると共に、開いた口からの呼気不足が鼻からの呼気に無意識に移行させることで、鼻呼吸を実現させるものである。
さらに、異物が唇に係合すると唇を閉じる反射運動が口を閉じさせるので、自然に鼻呼吸を実現するものである。
【課題を解決するための手段】
【００１８】
本考案の空気流抵抗マスク（１）は、使用者の顔面（１０）に使用されるマスク（２）において、前記マスク（２）のマスク顔側面部（２ｃ）に、空気流抵抗部（３）を形成し、
前記空気流抵抗部（３）は、前記使用者が口呼吸する際に生じる口部の隙間（１２）及び唇部（１３）に係合し、前記空気流抵抗部（３）は、前記使用者の口部（１１）に吸い込まれる空気に対する抵抗を、吐き出される空気にたいする抵抗よりも強くさせる構成とすることを特徴とする。
【考案の効果】
【００１９】
本考案の空気流抵抗マスクの第一の効果は、マスクの顔側面に空気流抵抗部を形成し、口呼吸時の口部の隙間に係合させるので、空気流抵抗部が呼気と吸気の空気流をアンバランスにするものである。
つまり、開いた口での呼吸を混乱させることで酸素不足を生じさせると共に呼吸バランスをくるわせ、不足する酸素を鼻からの吸気へと無意識に移行させるので鼻呼吸を実現する。
【００２０】
本考案の空気流抵抗マスクの第二の効果は、マスクの顔側面に空気流抵抗部を形成し、口呼吸時の唇部に係合させるので、無意識に口を閉ざす反射反応を応用し口を閉ざす鼻呼吸を実現する。
【００２１】
本考案の空気流抵抗マスクの第三の効果は、既存のマスク製造の技術や素材を使用して空気流抵抗部を形成することが出来るので、安価な新規の製品の製造を可能にする。
【００２２】
本考案の空気流抵抗マスクの第四の効果は、覚醒時や睡眠時、年齢や場所などに制限されることは無く、また、強制的な使用形態ではないので自然に鼻呼吸を実現する。
また、肌荒れ等の心配もなく日常のいかなる場面でも使用を可能にするものである。
【００２３】
本考案の空気流抵抗マスクの第五の効果は、空気流抵抗部に唇部を押し圧させることで口回りの筋肉や舌筋を強化することが出来るので、顔面の美容に好適である。
また、鼻呼吸は腹式呼吸を行うことで姿勢を正し、呼吸量の増加による摂取する酸素量の増加は作業や学習効率を向上させる等の効果を無意識な状態で持続的に行うことが出来る。
【図面の簡単な説明】
【００２４】
【図１】図１は、本考案の空気流抵抗マスク（１）の実施例１であり、プリーツ型マスク        （２ａ）に、膜形状の空気抵抗部（３ａ）を形成する例を示す斜視図である。
【図２】図２は、実施例１の使用時の形態を示す側面断面図である。
【図３】図３は、本考案の空気流抵抗マスク（１）の実施例２であり、立体型口マスク（２        ｂ）に、凸形状の空気抵抗部（３ｂ）を形成する例を示す斜視図である。
【図４】図４は、実施例１の使用時の形態を示す側面断面図である。
【考案を実施するための形態】
【００２５】
以下に、本考案の実施の形態の例を示し図面を基に説明する。
【００２６】
一般に使用されるマスク（２）の形状は、強く分けて立体形マスク、ブリーツ型マスク、平型マスク等の三種類のタイプに分けられが、本考案の空気流抵抗マスク（１）は全てのマスク（２）に適用出来るものである。
本考案の空気流抵抗マスク（１）は、既存のマスク（２）を構成している素材や構造などを採用し、マスク（２）のマスク顔側面部（２ｃ）に空気流抵抗部（３）を形成することを特徴とするものであり、マスク（２）に新たな呼吸改善という機能を実現するものである。
また、本実施例に限定も特定もするものではなく、本考案の技術的思想を損なわなければ良い。
【００２７】
また、本考案の空気流抵抗部（３）は、形状や素材、大きさや形成法などについても特定するものではなく、既存の素材や技術を採用するものである。
また、本実施例では、本考案の空気流抵抗部（３）が膜形状の空気抵抗部（３ａ）、凸形状の空気抵抗部（３ｂ）を使用例として記載されているが、ドーム形状でも良く立方体形状でも良く特定するものではなく、本考案の技術的思想を損なわなければ良い。
また、本考案の空気流抵抗部（３）は、各種マスク（２）を構成する素材と同じ素材で形成されることが経済的であるが特定するものではなく、異なる素材を使用しても良い。                                                                                                                                                            
また、耳掛け部（５）で保持する構成であるが特定はしない。
【実施例１】
【００２８】
本実施例１は、図１、図２を用いて説明する。
図１は、既存のプリーツ型マスク（２ａ）に、本考案の膜形状の空気抵抗部（３ａ）を形成する例を示す斜視図である。
図２は、使用時の形態を示す側面断面図である。      
本実施例１は、本考案の空気流抵抗部（３）に膜形状の空気抵抗部（３ａ）を使用し既
存のプリーツ型マスク（２）に形成する例を示すものである。
本実施例１の組み合わせは、一例を示すものであり限定はしない。
【００２９】
図１、図２に示すプリーツ型マスク（２ａ）は、平面状の状態で保管され、使用時に広げることで立体形を形成し、使用者の口部（１１）及び鼻腔部（１４）を覆う使用形態のものを示している。
【００３０】
次に、図１、図２に示す膜形状の空気抵抗部（３ａ）は、プリーツ型マスク（２ａ）の中部と下部に固着され、使用時においてプリーツ型マスク（２ａ）を広げる際に膜状態になる構造が採用され、使用者の鼻腔部（１４）を覆わない位置に形状される。
また、本実施例ではプリーツ型マスク（２ａ）と異なる素材であるシリコーンを使用する例を示しているが、使用される素材や形成法など既存の素材や技術を採用するものであり、本実施例に特定も限定もしないが、薄く軟質性の素材が好適である。
【００３１】
また、図１、図２に示す膜形状の空気抵抗部（３ａ）は、使用者の口部（１１）の隙間や唇部（１３）に係合する幅や高さ、位置など想定されて形成されることは当然であり、使用者の鼻腔部（１４）に係合しない位置であることは当然である。
【００３２】
また、図１、図２に示す膜形状の空気抵抗部（３ａ）は、吸気される際に口部（１１）の隙間や唇部（１３）に係合し吸気を阻害するので空気不足を生じさせ、無意識に口からの吸気から鼻からの吸気に移行させるものであり、口腔内に挿入されて使用される形態ではない。
【００３３】
さらに、図１、図２に示す膜形状の空気抵抗部（３ａ）は、口部（１１）から呼気される空気流により立体型口マスク（２ａ）側に押し圧されるが、十分な呼気が出来ず鼻からの呼気に依存するようになる。
【００３４】
つまり、本考案の空気流抵抗マスク（１）は、空気抵抗部（３）が口から呼気する空気流の阻害より口から吸気する空気流を強く阻害させることで、口からの吸気不足を誘い、酸素の不足が鼻からの吸気に依存させるものである。
さらに、口からの呼気の空気流を強く阻害させることで口からの呼気不足を誘い鼻からの呼気に依存させるものである。
本考案は、口からの吸気と呼気のアンバランスを生じさせ、口からの呼吸よりも鼻からの呼吸が有利である事実を示すことを使用者本人に無意識に自覚させることで、鼻呼吸へと導き実現させるものである。
【００３５】
さらに、空気流抵抗マスク（１）は、空気抵抗部（３）が唇部（１３）に係合するので、異物が触れると自然に唇部（１３）を閉じる反射運動により、自然に口部（１１）を閉じ、口呼吸から鼻呼吸に転換を意識させずに実現させるものである。
【００３６】
次に、図１、図２に示す膜形状の空気抵抗部（３ａ）は、複数の孔部（４）を形成するものを示している。
この、複数の孔部（４）は、吸気される際に口部（１１）の隙間や唇部（１３）に係合し吸気の阻害を緩和し、唇部（１３）に密着するのを防止する。
また、複数の孔部（４）は、円形状を四か所形成したものを示しているが、形状や数など好適に選択され使用されるものであり特定はしない。
また、複数の孔部（４）は、形成されなくても良い。
【実施例２】
【００３７】
本実施例２は、図３、図４を用いて説明する。
図３は、立体型口マスク（２ｂ）に、凸形状の空気抵抗部（３ｂ）を形成する例を示す斜視図である。
図４は、使用時の形態を示す側面断面図である。
本実施例1は、使用するマスク（２）には鼻腔部（１４）を覆わない立体形口マスク（２ｂ）を使用し、空気抵抗部（３）に凸形状の空気抵抗部（３ａ）を使用する組み合わせの例を示すものである。      
【００３８】
図３、図４に示す立体型口マスク（２ｂ）は、中央部で折りたたまれた平面状の状態で保管され、使用時に広げることで立体形を形成し、使用者の口部（１１）を覆う使用形態のものを示している。
【００３９】
次に、図３、図４に示す凸形状の空気抵抗部（３ａ）は、立体型口マスク（２ｂ）の顔側面に折り曲げられた状態に形成され、使用時において立体型口マスク（２ｂ）を広げる際に起立する構造が採用され、本実施例では立体型口マスク（２ｂ）と同じ素材で形成する例を示している。
また、使用される素材や形成法など既存の技術を採用するものであり、本実施例に特定も限定もしない。
【００４０】
また、図３、図４に示す凸形状の空気抵抗部（３ｂ）は、使用者の口部（１１）の隙間や唇部（１３）に係合する幅や高さ、厚みや位置など想定されて形成されることは当然であり、立体型口マスク（２ｂ）を使用時に広げる際に調整して使用される。
【００４１】
また、図３、図４に示す凸形状の空気抵抗部（３ｂ）は、吸気される際に口部（１１）の隙間や唇部（１３）に係合し吸気を阻害するので空気不足を生じさせ、無意識に口からの吸気から鼻からの吸気に転換させるものであり、口腔内に挿入されて使用される形態ではない。
【００４２】
さらに、図３、図４に示す凸形状の空気抵抗部（３ｂ）は、口部（１１）から呼気される空気流により立体型口マスク（２ａ）側に押し圧されるが、十分な呼気が出来ず鼻からの呼気に依存するようになる。
また、凸形状の空気抵抗部（３ｂ）は、本実施例２に示す形状に限定するものではなく、ドーム状に膨らんだ形状などの立方体の形状であれば良く、好適な形状が選択され使用される。
【００４３】
つまり、本考案の空気流抵抗マスク（１）は、空気抵抗部（３）が口から呼気する空気流の阻害より口から吸気する空気流を強く阻害させることで、口からの吸気不足を誘い、酸素の不足が鼻からの吸気に依存させるものである。
さらに、口からの呼気の空気流を強く阻害させることで口からの呼気不足を誘い鼻からの呼気に依存させるものである。
本考案は、口からの吸気と呼気のアンバランスを生じさせ、口からの呼吸よりも鼻からの呼吸が有利であることを使用者本人に自覚させることで、鼻呼吸へと導き実現させるものである。
【００４４】
さらに、空気流抵抗マスク（１）は、空気抵抗部（３）が唇部（１３）に係合するので、異物が触れると自然に唇部（１２）を閉じる反射運動により、自然に口部（１１）を閉じ、口呼吸から鼻呼吸に転換を意識させずに実現させるものである。
【００４５】
本実施例２の立体型口マスク（２ａ）は、鼻腔部（１４）を露出させた構造であり、口での呼吸と鼻での呼吸を区別し意識させる、本考案の効果を最大限に発揮できる好適な使用形態である。
【産業上の利用可能性】
【００４６】
本考案は、マスク市場に対して呼吸改善という新規の機能を備えるマスクを安価に提供するものである。
【符号の説明】
【００４７】
１・・・空気流抵抗マスク
２・・・マスク
２ａ・・プリーツ型マスク
２ｂ・・立体型口マスク
２ｃ・・マスク顔側面部
３・・・空気流抵抗部
３ａ・・膜形状の空気流抵抗部
３ｂ・・凸形状の空気流抵抗部
４・・・孔部
５・・・耳掛け部
１０・・顔部
１１・・口部
１２・・口部の隙間
１３・・唇部
１４・・鼻腔部
【図１】
0003201841.tif 000003
【図２】
0003201841.tif 000004
【図３】
0003201841.tif 000005
【図４】
0003201841.tif 000006